(57)【要約】      （修正有）【課題】窓枠への取り付けが容易なステー部材を、特にスライダ部材の後付けが可能なステー部材を備えた回動窓を提供する。【解決手段】窓枠に摺動自在に取り付けたスライド部材２０に一端部が回動自在に取り付けられるとともに、他端部が障子に回動自在に取り付けられたアーム部材１３に開放角度を規制され、端部を中心に回動させることにより開放されるステー部材１２を設ける。スライド部材２０は窓枠両側面部に設置されたレール部に嵌め込み、アーム部材１３を嵌めこむための突起部を有する。アーム部材１３の一端部は障子部に固定され、他端部は先端部に穴部を設け、穴部はスライド部材２０突起部に挿入し、さらに突起部に外れ止部材を挿入し、スライド部材２０突起部への挿入部端部のアーム部材１３の形状は折曲し、スライド部材２０の突起部は外れ止部材挿入溝が形成されている。【選択図】図２
0003156011.tif 000002
【実用新案登録請求の範囲】
【請求項１】
窓枠と障子を室内・室外側方向に傾動自在に取付け、その障子を室内・室外側に傾動することで窓枠と障子の上部の間を開放する内倒し窓又は外倒し窓および回転窓などの回動窓であって、
窓枠に摺動自在に取り付けたスライド部材に一端部が回動自在に取り付けられるとともに、他端部が障子に回動自在に取り付けられたアーム部材に開放角度を規制され、端部を中心に回動させることにより開放されるステー部材を設け、
該ステー部材のスライド部材は窓枠両側面部に設置されたレール部に嵌め込み、アーム部材を嵌め込みための突起部を設け、
アーム部材の一端部は障子部に固定され、他端部は先端部に穴部を設け、該穴部はスライド部材突起部に挿入し、さらに該突起部に外れ止部材を挿入し、スライド部材突起部への挿入部端部のアーム部材の形状は折曲し、スライド部材の突起部は外れ止部材挿入溝が形成されていることを特徴とする内倒し窓又は外倒し窓のステー部材。
【考案の詳細な説明】
【技術分野】
【０００１】
本考案は、ステー部材に開放角度を規制されて開放される内倒し窓、外倒し窓および回転窓などの回動窓に関するものである。
【背景技術】
【０００２】
従来の回動窓として、例えば実開昭６０−７３７８４号公報に記載の内倒し窓が知られている。この内倒し窓は、窓枠に障子の下端部が回動自在に取り付けられており、窓枠と障子との間に渡した内倒しアーム部材で開放角度を規制して、障子を手前に引き倒すようにして開放される。内倒しアーム部材の一端は、障子の中間側部に回動自在に固定され、他端は、窓枠に摺動自在に取り付けられたスライダに取り付けられている。スライダ部材は、窓枠の上下方向に形成した溝条に摺動自在に取り付けられている。
【０００３】
この場合、スライダ部材は、先付けで窓枠に取り付けられており、また、内倒しアーム部材は、障子を窓枠に取り付ける際に取り付けられる。すなわち、建物の開口部に取り付けた窓枠に対し、内倒しアーム部材をビス止めした障子をヒンジ接合しておいて、内倒しアーム部材の他端をスライダ部材にビス止めする施工方法、あるいは内倒しアーム部材を先にスライダ部材にビス止めもしくはピン止めした後、障子に組み付ける施工方法が用いられている。
【先行技術文献】
【特許文献】
【０００４】
【特許文献１】実開昭６０−７３７８４号
【考案の概要】
【考案が解決しようとする課題】
【０００５】
このような従来の回動窓では、内倒しアーム部材をスライダ部材に後からビス止めする前者の施工方法を用いると、開放した障子の隙間からビス止めする作業となり、特に高さ方向が小さい窓などでは、窓を大きく開放できないため、極めて作業がし難いものとなる。また、内倒しアーム部材を障子に後からビス止めする後者の施工方法を用いると、窓枠が取り付けられている建物の壁や基枠が邪魔になって、作業がし難いばかりでなく、壁や基枠が手前に大きく張り出しているような場合には、ビス止めが不可能になるなどの不具合がある。
【０００６】
また、上記の内倒し窓は、いずれの施工方法を用いた場合でも、スライダ部材が窓枠に先付けされるため、窓枠を建物に施工した後には、スライダ部材の交換が不可能になる。このため、スライダ部材が破損してしまうと、窓自体が機能しなくなってしまう問題がある。
【０００７】
本考案は、このような問題点に鑑みてなされたものであり、窓枠への取り付けが容易なステー部材を、特にスライダ部材の後付けが可能なステー部材を備えた回動窓を提供することをその目的としている。
【課題を解決するための手段】
【０００８】
窓枠と障子を室内・室外側方向に傾動自在に取付け、その障子を室内・室外側に傾動することで窓枠と障子の上部の間を開放する内倒し窓又は外倒し窓および回転窓などの回動窓であって、
窓枠に摺動自在に取り付けたスライド部材に一端部が回動自在に取り付けられるとともに、他端部が障子に回動自在に取り付けられたアーム部材に開放角度を規制され、端部を中心に回動させることにより開放されるステー部材を設け、
該ステー部材のスライド部材は窓枠両側面部に設置されたレール部に嵌め込み、アーム部材を嵌め込むための突起部を設け、
アーム部材の一端部は障子部に固定され、他端部は先端部に穴部を設け、該穴部はスライド部材突起部に挿入し、さらに該突起部に外れ止部材を挿入し、スライド部材突起部への挿入部端部のアーム部材の形状は折曲し、スライド部材の突起部は外れ止部材挿入溝が形成されていることを特徴とする内倒し窓又は外倒し窓のステー部材である。
【考案の効果】
【０００９】
本考案のステー部材は、スライド部材の係止突起とアーム部材の係止穴は回動自在かつ着脱自在に係止されるので、ビス止め作業を必要としない。また、スライド部材は窓枠の内方から着脱自在に取り付けられるので、スライド部材の後付けや交換が容易である。また、スライド部材挿入部端部のアーム部材の形状は折曲しているので、障子の内倒しを規制する爪など障子に取り付けられている様々な部品との干渉を回避することができる。さらに、スライド部材とアーム部材の取り外しを行う際、スライド部材にある抜止め爪部を何らかの道具を用いて押さえつつ外さなければならない場合があるが、本考案では外れ止部材があるためスライド部材とアーム部材の取り外しに道具は一切必要としないなどの効果を有するものである。
本考案は各種回動窓、例えば上げ下げ窓には好適に適用される。
【図面の簡単な説明】
【００１０】
【図１】本考案が適用される内倒し窓を室内側から見た図である。
【図２】本考案に係るステー部材全体図である。
【図３】ステー部材、アーム部材全体図である。
【図４】アーム部材、スライダ部材取付部分の拡大図である。
【図５】スライダ部材を示す図である。
【図６】スライダ部材  突起部拡大図である。
【図７】外れ止部材を示す図である。
【図８】スライダ部材とアーム部材を固定した図である。
【図９】本考案に係るステー部材のスライダ部材を内倒し窓に挿入する手順を示す図である。
【図１０】本考案に係るステー部材のスライダ部材を内倒し窓に挿入する手順を示す図である。
【考案を実施するための最良の形態】
【００１１】
以下、添付の図面を参照して、本考案に係るステー部材について説明する。
図１は本考案が適用される内倒し窓１を室内側から見た図である。
窓枠２は、樹脂又はアルミニウムの押出形材などで構成された上枠４、下枠５および両縦枠６、６を枠組みして構成され、上障子３−１及び下障子３−２が配置されている。下障子３−２は、樹脂又はアルミニウムの押出形材などで構成された上框７、下框８および両竪框９、９を框組みし、これにガラスなどのパネル体１０を組み込んで構成されている。窓枠２と障子３−２とは、窓枠２の下枠５の一部と障子３−２の下框８の一部とで構成したヒンジ部１１により連結されると共に、窓枠２の各縦枠６、６と障子３の各竪框９、９との間に渡した左右一対のステー部材１２、１２で連結されることにより、障子３−２は、ヒンジ部１１を中心に回動し、ステー部材１２にその開放角度を規制されて、室内側に引き倒されるようにして開放される。
【００１２】
図２は本考案に係るステー部材１２である。
スライダ部材２０、アーム部材１３及び固定部材１６で構成される。
【００１３】
図３はステー部材のアーム部材の全体図であり、ステンレス製である。
アーム部材１３は細長い板状のアーム本体１４とスライダ部材取付部分１５と障子部３−２への固定部材１６とで構成されている。
障子部３−２への固定部材16は、中央部が突出した板状のものであり、中央部がアーム本体１４にピン１７で止められると共に、固定部材16の両端部が下障子３−２の竪框９の中間部位にビス止めされている
【００１４】
図４はアーム部材のスライダ部材取付部分１５の拡大図である。スライド部材挿入部端部のアーム部材の形状は折曲１９し、端部にはスライド部材２０突起部への挿入用の穴部１８が設けられている。
折曲１９の折曲角度は板状のアーム本体１４の軸線に対して、４０°から１３５°、６０°から１２０°、７０°から１１５°、８０°から１１０°、望ましくは８５°から１０５°、さらに望ましくは８８°から１０２°である。
これにより、ステー部材１２は、ピン１７を中心として、障子３−２に対して回動可能である。
穴部１８は、障子部３−２への固定部材１６と反対側に設けられており、後述するように、スライダ部材２０の突起部２２に回動自在かつ着脱自在に固定される。
【００１５】
スライダ部材２０は、ポリアミドなどのプラスチックで一体に構成されており、図５に示すように、全体がほぼ直方体形のものである。
スライダ部材２０は、側面部下部の摺動溝挿入部２１が窓枠２の摺動溝３３に挿入され摺動溝３３に沿って上下方向に摺動できるようになっている。
さらにスライダ部材２０はアーム部材１３を固定するための突起部２２を設けている。
【００１６】
図６は突起部２２の拡大図であるが、突起部底部２３部分にアーム部材１３のスライダ部材取付部分１５の折曲１９に明けられた穴部１８を挿入する。突起部先端２５と突起部底部２３は同径でアーム部材１３の穴部１８を挿入し、かつ障子部３−２の回動に支障なきよう突起部先端２５と突起部底部２３及びアーム部材１３の穴部１８それぞれの径寸法は考慮されている。
突起部２２は外れ止部材挿入溝２４が備えられている。外れ止部材挿入溝２４は突起部先端２５と突起部底部２３より小さい径寸法である。後述の外れ止部材２６を固定するためである。
【００１７】
図７は外れ止部材２６を示す図である。外れ止部材２６は、ポリアミドなどのプラスチックで一体に構成されている。
穴部２７を有しこれが突起部２２に装着される部分である。
切り欠き部分（１）２８と切り欠き部分（２）２９を有し切り欠き部分（１）２８及び切り欠き部分（２）２９は外れ止部材挿入溝２４に挿入され確実に固定される。切り欠き部分（２）２９は外れ止部材挿入溝２４に確実に装着させるため切り欠き部分（１）２８より切り欠き幅を広くしている。
底面にヒンジ部３０を有し、本箇所はアーム本体１４との固定を施す箇所である。
切り欠き部分（１）２８及び欠き部分（２）２９の対象位置に切り欠き３１、さらに貫通部分３２が設けられているがこれは突起部２２に簡易に挿入できるようにするためである。
場合によってはなくてもよい。
【００１８】
図８はスライド部材とアーム部材１３を固定した状態を示す図である。
スライダ部材２０の突起部２２にアーム部材１３のスライダ部材取付部分１５の穴部１８を挿入し、突起部２２の突起部底部２３部分に固定する。次に外れ止部材挿入溝２４に外れ止部材２６を挿入する。挿入は切り欠き部分２８より挿入する。挿入後ヒンジ部３０により外れ止部材２６とアーム部材１３のスライダ部材取付部分１５を固定する。
【００１９】
図９は本考案に係るステー部材のスライダ部材を内倒し窓に挿入する手順である。（アーム部材１３は図示せず）
本考案に係るステー部材１２は、スライダ部材２０はアーム部材１３のスライダ部材取付部分１５が挿入され、他端面は障子部３への固定部材１６が装着されている。
固定部材１６の両端部が障子３の竪框９の中間部位にビス止めする。
（ａ）に示すように、ステー部材１２のスライダ部材２０を配置する。
（ｂ）に示すように、スライダ部材２０は窓枠２の両縦枠６、６に配置されているスライダ部材移動用の摺動溝３３の中に挿入する。摺動溝３３はくり抜き部分３４としてスペースが広くなっていている。スライダ部材２０はこのくり抜き部分３４から摺動溝３３に挿入する。
図１０に示すようにスライダ部材２０は摺動溝３３をスライドする。
【００２０】
スライダ部材２０挿入後このくり抜き部分３４は上げ下げ窓の上下移動する下側窓の上下移動を制御し、さらにくり抜き部分３４に半開き状態で制止させるバネ等の制御部材を装着固定するので、一度挿入したスライド部材２０はくり抜き部分３４から外れることはない。
スライダ部材２０は摺動溝３３を随時移動し、該制御部材とスライダ部材２０の間には衝撃防止用の緩衝材を嵌めこむ。
【００２１】
本件は上記機能を有する上げ下げ窓において、制御部材を装着固定のくり抜き部分を利用してスライダ部材２０を装着したが、前記以外の場合はスライダ部材２０挿入用くり抜き部分はスライダ部材２０挿入後何らかの固定具でくり抜き部分を塞ぎスライド部材２０がくり抜き部分３４から外れないような処置を施すことができる。
【００２２】
なお、本考案は、説明した実施例に限定されることなく、適宜、変更して実施することが可能である。内倒し窓に限らず、外倒し窓や回転窓などに適用できる。
【符号の説明】
【００２３】
１  内倒し窓
２  窓枠
３−１  上障子
３−２  下障子
４  上枠
５  下枠
６  縦枠
７  上框７
８  下框８
９  竪框９
１０  パネル体
１１  ヒンジ部
１２  ステー部材
１３  アーム部材１３
１４  アーム本体
１５  スライダ部材取付部分
１６  固定部材
１７  ピン
１８  穴部
１９  折曲
２０  スライダ部材
２１  摺動溝挿入部
２２  突起部
２３  突起部底部部分
２４  外れ止部材挿入溝
２５  突起部先端
２６  外れ止部材
２７  穴部
２８  切り欠き部分（１）
２９  切り欠き部分（２）
３０  ヒンジ部
３１  切り欠き
３２  貫通部分
３３  摺動溝
３４  くり抜き部分
【図１】
0003156011.tif 000003
【図２】
0003156011.tif 000004
【図３】
0003156011.tif 000005
【図４】
0003156011.tif 000006
【図５】
0003156011.tif 000007
【図６】
0003156011.tif 000008
【図７】
0003156011.tif 000009
【図８】
0003156011.tif 000010
【図９】
0003156011.tif 000011
【図１０】
0003156011.tif 000012